(57)【特許請求の範囲】
【請求項１】
表示部と、該表示部の周縁部を覆う矩形状の枠体とを備え、該枠体は、矩形の各辺を構成する４つの枠部材と、該４つの枠部材の隣り合う端部同士を連結する４つの連結体とを有する表示装置において、
前記連結体は、
連結する各枠部材夫々の長手方向に延びる２つの板部と、
該板部の端縁から内側へ凹状に切り欠いた切欠部により形成してあり、連結する各枠部材に当接して夫々の長手方向での位置を決める２つの位置決め部と
を備え、
前記枠部材は、
前記切欠部に嵌合可能に突出し、前記切欠部の奥側端部に当接する突出部により形成してあり、前記位置決め部に当接する被位置決め部を備え、
前記枠部材と連結体とを結合する結合手段が設けてあることを特徴とする表示装置。
【請求項２】
前記表示部は前側に表示面を有し、
前記連結体は、前記表示面と平行な面内で前記表示部の位置を決める第２位置決め部を備えていることを特徴とする請求項１に記載の表示装置。
【請求項３】
前記連結体は、内縁側に前記表示部の周縁部の前側に位置する縁板部と、該縁板部の後側に突出し、側面が前記表示部の端面と対向して前記第２位置決め部を形成する突起とを有していることを特徴とする請求項２に記載の表示装置。
【請求項４】
前記突起の後側端部を面取りしてなり、前記表示部の端部を前記表示部の端面が前記突起の側面と対向する位置に案内する案内部を形成してあることを特徴とする請求項３に記載の表示装置。
【請求項５】
前記枠部材は、前記表示部の周縁部の前側に対向する前板部と、該前板部から後側へ延設され、前記表示部の端面に対向する側板部とを有し、
前記連結体は、前記側板部と結合可能であり、前記結合手段を構成する結合部を有することを特徴とする請求項２から４のいずれか１項に記載の表示装置。
【請求項６】
前記結合部は、前記側板部に重なるように前記表示面と平行な方向又は交差する方向へ突出し、ネジ止め用の貫通孔を形成してあることを特徴とする請求項５に記載の表示装置。
【請求項７】
前記連結体は、前記枠部材の前板部の端部同士が突き合う部分を隠蔽する隠蔽部を有することを特徴とする請求項５又は６に記載の表示装置。
【請求項８】
前記隠蔽部は、前記第２位置決め部より前記表示部の表示面に沿って内側へ延設されていることを特徴とする請求項７に記載の表示装置。
【請求項９】
前記表示部は前側に表示面を有し、
前記表示部の後側に光学シートを備え、
前記連結体は、前記光学シートの角部の位置を決める第３位置決め部を備えることを特徴とする請求項１に記載の表示装置。
【請求項１０】
前記連結体は、内縁側に前記表示部の周縁部の前側に位置する縁板部と、該縁板部の後側に突出し、側面が前記表示部の端面と対向して前記表示面と平行な面内で前記表示部の位置を決める突起とを有し、
前記第３位置決め部は、前記突起に連設してあることを特徴とする請求項９に記載の表示装置。
【請求項１１】
前記第３位置決め部は、前側に、前記縁板部との間で前記表示部を案内する案内部を備えることを特徴とする請求項１０に記載の表示装置。
【請求項１２】
請求項１から１１までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、表示部の周縁部を覆う矩形状の枠体が４つの枠部材に分割され、隣り合う枠部材の端部同士が連結された表示装置、及び該表示装置を備えたテレビジョン受信機に関する。
【背景技術】
【０００２】
近年、液晶表示装置等の薄型テレビジョンでは大型化が進んでおり、５２型、６０型、７０型等の表示サイズの機種も増加している。この場合、表示サイズが大型化すると、外観を形成するキャビネット（枠体）も大型になるが、外形サイズは極力小型にしたいとの要望も強く、そのため、表示画面の周辺に位置する矩形の前面キャビネットの額縁部分を狭くした狭額縁製品も発売されている。
【０００３】
一般に前面キャビネットは一体フレームであり、金型によって作製される。金型の費用は大きさに比例し、大型の機種の場合は金型費用が高額になる。更に、大型の機種を複数バリエーション展開する場合は機種数に応じて金型費用が増加する。そこで、前面キャビネットを上下左右の４つの枠部材に分割し、各枠部材の端部同士を４隅部でＬ字形の連結体により連結する表示装置が考えられる。薄型テレビジョンではないが、前側キャビネットを上下左右の４つの枠部材に分割して連結させたブラウン管表示装置が公知である（特許文献１参照）。具体的には、板状の枠部材の内面側にリブ（突条）を設け、連結体はリブに接するＬ字の各部分に貫通孔を有し、該貫通孔に通したタッピングネジをリブにネジ止めして枠部材と結合している。
【０００４】
また、表示装置ではないが、上下左右の４つの枠部材に分割し、内側に開放した断面コの字形の枠部材の内側端縁部に凹溝を形成し、連結金具はＬ字の各部分に内側へ突き出た突出片を備え、各突出片を隣り合う枠部材の各凹溝に嵌入させて枠部材と結合した額縁用フレームの連結金具が公知である（特許文献２参照）。  
【先行技術文献】
【特許文献】
【０００５】
【特許文献１】特開２００２−１９０９９７号公報
【特許文献２】特開平１１−００４７３７号公報
【発明の概要】
【発明が解決しようとする課題】
【０００６】
特許文献１に記載の表示装置では、ネジ止め時のずれ等により枠部材と連結体との位置決め精度が低くなる可能性がある。特許文献２に記載の連結金具では、凹溝に突出片を嵌入させて枠部材と連結体とを結合しているために、凹溝の内周面と突出片との間には嵌入用の隙間（遊び）が必要であり、枠部材と連結体との位置決め精度及び結合強度があまり高くできない。
【０００７】
また、従来の他の液晶表示装置には、液晶表示パネルが取り付けられるパネルシャーシを備え、光学シート群、導光板、及びＬＥＤ光源をパネルシャーシで覆う構成のものがある。その場合、パネルシャーシで覆う構成であれば、光が外部に漏れることはない。ところで、近年、表示装置の薄型化、狭額縁化を実現すべく部品点数が削減されている。その結果、パネルシャーシを廃止し、前キャビネットに直接、液晶表示パネル、光学シート、導光板、反射板等を取り付ける場合は前キャビネットの隙間からの光漏れを防止することが出来ない場合があった
【０００８】
本発明は、上述したような事情に鑑みてなされたものであり、表示部の周縁部を覆う矩形状の枠体を４つの枠部材に分割し、矩形の四隅で隣り合う枠部材の端部同士を連結体によって連結する場合に、枠部材と連結体との位置決め精度を高くしながら、枠部材と連結体とを結合することができる表示装置、及び該表示装置を備えたテレビジョン受信機を提供することを目的とする。
【課題を解決するための手段】
【０００９】
本発明に係る表示装置は、表示部と、該表示部の周縁部を覆う矩形状の枠体とを備え、該枠体は、矩形の各辺を構成する４つの枠部材と、該４つの枠部材の隣り合う端部同士を連結する４つの連結体とを有する表示装置において、前記連結体は、連結する各枠部材夫々の長手方向に延びる２つの板部と、該板部の端縁から内側へ凹状に切り欠いた切欠部により形成してあり、連結する各枠部材に当接して夫々の長手方向での位置を決める２つの位置決め部とを備え、前記枠部材は、前記切欠部に嵌合可能に突出し、前記切欠部の奥側端部に当接する突出部により形成してあり、前記位置決め部に当接する被位置決め部を備え、前記枠部材と連結体とを結合する結合手段が設けてあることを特徴とする。
【００１０】
本発明によれば、矩形状の枠体の各辺を構成する４つの枠部材の隣り合う端部同士を連結する連結体に、連結する各枠部材に当接して夫々の長手方向での位置を決める２つの位置決め部が備えられ、該２つの位置決め部の一方に、連結される枠部材の一方に備えた被位置決め部が当接し、２つの位置決め部の他方に、連結される枠部材の他方に備えた被位置決め部が当接した状態で各枠部材と各連結体とが結合されている。
そして、本発明によれば、連結する各枠部材夫々の長手方向に延びた２つの板部を有しており、該板部の端縁から内側へ凹状に切り欠いた連結体側の切欠部に、枠部材側の突出部を嵌合し、切欠部の奥側端部に当接させることにより、各枠部材夫々の長手方向での連結体と枠部材との位置決めがなされる。
【００１２】
本発明に係る表示装置は、前記表示部は前側に表示面を有し、前記連結体は、前記表示面と平行な面内で前記表示部の位置を決める第２位置決め部を備えていることを特徴とする。
本発明によれば、連結体に備えた第２位置決め部によって、前側に表示面を有する表示部の表示面と平行な面内での位置が決められる。
【００１３】
本発明に係る表示装置は、前記連結体は、内縁側に前記表示部の周縁部の前側に位置する縁板部と、該縁板部の後側に突出し、側面が前記表示部の端面と対向して前記第２位置決め部を形成する突起とを有していることを特徴とする。
本発明によれば、表示部の周縁部の前側に位置する連結体の内縁側の縁板部の後側に突出し、側面が前記表示部の端面と対向する突起により第２位置決め部を形成してあるので、連結体によって表示面を遮る範囲を極力少なくして、表示部の小型化が実現できる。
【００１４】
本発明に係る表示装置は、前記突起の後側端部を面取りしてなり、前記表示部の端部を前記表示部の端面が前記突起の側面と対向する位置に案内する案内部を形成してあることを特徴とする。
本発明によれば、第２位置決め部を構成する突起の後側端部を面取りして、表示部の端部を前記表示部の端面が前記第２位置決め部と対向する位置に案内する案内部を構成しているので、表示部の端面を突起と対向する位置にセットする際の操作が容易になる。
【００１５】
本発明に係る表示装置は、前記枠部材は、前記表示部の周縁部の前側に対向する前板部と、該前板部から後側へ延設され、前記表示部の端面に対向する側板部とを有し、前記連結体は、前記側板部と結合可能であり、前記結合手段を構成する結合部を有することを特徴とする。
本発明によれば、前板部が表示部の周縁部の前側に対向し、前板部から後側へ延設された側板部が表示部の端面に対向して枠部材が構成されるとともに、連結体が有する結合部が側板部と結合し、連結体と枠部材とが結合される。
【００１６】
本発明に係る表示装置は、前記結合部は、前記側板部に重なるように前記表示面と平行な方向又は交差する方向へ突出し、ネジ止め用の貫通孔を形成してあることを特徴とする。
本発明によれば、表示面と平行な方向又は交差する方向へ突出した結合部が枠部材の側板部に重なった状態で、結合部に形成してあるネジ止め用の貫通孔に通したネジを側板部にネジ止めすることにより連結体と枠部材とが結合される。
【００１７】
本発明に係る表示装置は、前記連結体は、前記枠部材の前板部の端部同士が突き合う部分を隠蔽する隠蔽部を有することを特徴とする。
本発明によれば、枠部材の前板部の端部同士が突き合う部分を連結体が有する隠蔽部によって隠蔽するので、枠部材の前板部の端部同士が突き合う部分に隙間が生じた場合に、従来のようにパネルシャーシを用いなくとも、内部の光が隠蔽部で遮られて外に漏れることが防止される。
【００１８】
本発明に係る表示装置は、前記隠蔽部は、前記第２位置決め部より前記表示部の表示面に沿って内側へ延設されていることを特徴とする。
本発明によれば、枠部材の前板部の端部同士が突き合う部分を隠蔽する隠蔽部が第２位置決め部より表示部の表示面に沿って内側へ延設されているので、表示部の端部付近の光漏れを確実に防止することができる。
【００１９】
本発明に係る表示装置は、前記表示部は前側に表示面を有し、前記表示部の後側に光学シートを備え、前記連結体は、前記光学シートの角部の位置を決める第３位置決め部を備えることを特徴とする。
本発明によれば、枠部材にアングルを設け、光学シートに該アングルに嵌め合わせる凹部を設ける必要がない。従って、部品コストを低減することができ、光学シートの取り付け作業も容易になる。
【００２１】
本発明に係る表示装置は、前記連結体は、内縁側に前記表示部の周縁部の前側に位置する縁板部と、該縁板部の後側に突出し、側面が前記表示部の端面と対向して前記表示面と平行な面内で前記表示部の位置を決める突起とを有し、前記第３位置決め部は、前記突起に連設してあることを特徴とする。
本発明によれば、縦方向の枠部材にアングルを設け、光学シートに該アングルに嵌め合わせる凹部を設ける必要がない。従って、部品コストを低減することができ、凹部形成工程が不要になり、光学シートの取り付け作業も容易になって製造コストが低減する。
【００２２】
本発明に係る表示装置は、前記第３位置決め部は、前側に、前記縁板部との間で前記表示部を案内する案内部を備えることを特徴とする。
本発明によれば、表示部を確実に固定した状態で、表示部の後側に光学シートを配して固定することができる。
【００２３】
本発明に係るテレビジョン受信機は、上述したいずれかのの表示装置と、テレビジョン放送を受信する受信部とを備え、前記受信部にて受信したテレビジョン放送に基づいて、前記表示装置に映像を表示するようにしてあることを特徴とする。
本発明によれば、テレビジョン放送に基づいて上述したいずれかの表示装置に映像が表示される。
【発明の効果】
【００２４】
本発明に係る表示装置によれば、表示部の周縁部を覆う矩形状の枠体を４つの枠部材に分割し、矩形の四隅で隣り合う枠部材の端部同士を連結体によって連結する場合に、連結体に備えた２つの位置決め部の夫々に連結する各枠部材に備えた被位置決め部を当接して各枠部材夫々の長手方向での位置を決めた状態で各枠部材と連結体とを結合するので、枠部材と連結体との位置決め精度を高くしながら、枠部材と連結体とを強度良好に結合することができる表示装置が提供される。
【００２５】
本発明に係るテレビジョン受信機によれば、大型の表示画面を有する薄型のテレビジョン受信機が提供される。
【図面の簡単な説明】
【００２６】
【図１】本発明の実施の形態１に係るテレビジョン受信機の前側の外観斜視図である。
【図２】本発明の実施の形態１に係る表示装置の一部縦断面図である。
【図３】前キャビネットの概略構成を模式的に示す正面図である。
【図４】図２に示す表示装置の一部部材の分解斜視図である。
【図５】図４に示す部材を組み付けた状態を示す斜視図である。
【図６】図５に示す表示装置の一部の前側外観斜視図である。
【図７】図２に示す表示装置の他の一部部材の分解斜視図である。
【図８】図７に示す部材を組み付けた状態を示す斜視図である。
【図９】枠体に表示パネルを組み付けた状態を示す斜視図である。
【図１０】枠体に表示パネルを組み付けた状態を示す断面図である。
【図１１】本発明の実施の形態２に係る連結体を示す斜視図である。
【図１２】表示パネル及び光学シートを配置した前キャビネットを示す斜視図である。
【図１３】図１２の一部斜視図である。
【図１４】本発明の実施の形態３に係る連結体を示す斜視図である。
【図１５】横枠と縦枠と連結体とを連結した状態を示す斜視図である。
【図１６】図１５の一部斜視図である。
【図１７】連結体により表示パネルを支持した状態を示す斜視図である。
【図１８】連結体により光学シートを支持した状態を示す斜視図である。
【図１９】本発明の実施の形態４に係る前キャビネット、表示パネル、及び光学シートを示す斜視図である。
【発明を実施するための形態】
【００２７】
以下、本発明をその実施の形態を示す図面に基づいて具体的に説明する。
実施の形態１．
図１は本発明の実施の形態１に係るテレビジョン受信機（以下、ＴＶ受信機という）１の前側の外観斜視図、図２は本発明の実施の形態１に係る表示装置１００の一部縦断面図である。
【００２８】
ＴＶ受信機１は、映像を表示する表示装置１００と、表示装置１００内に配設してあり、アンテナ（不図示）から放送波を受信するチューナ２００と、表示装置１００内に配設してあり、符号化された放送波を復号するデコーダ３００とを備える。ＴＶ受信機１は、チューナ２００にて受信した放送波をデコーダ３００で復号し、復号した情報に基づいて表示装置１００に映像を表示する。ＴＶ受信機１の下部に、ＴＶ受信機１を支持するスタンド４００を設けてある。
【００２９】
表示装置１００は、前側に表示面１０ａを有する横長の矩形状の液晶表示パネル１０を備えている。表示パネル１０は、前後に縦向きに配置された前キャビネット２０及び後キャビネット３０に縦向きに収容されている。前キャビネット２０は表示パネル１０の周縁部を覆う矩形状の枠状であり、中央に矩形の開口２０ａを有する。前キャビネット２０は例えばアルミニウム材からなる。後キャビネット３０は、前側が開放された矩形のトレイ状をなし、例えば電気亜鉛めっき鋼鈑からなる。尚、前キャビネット２０及び後キャビネット３０は樹脂部材で構成してもよい。
【００３０】
前キャビネット２０及び後キャビネット３０の上下及び左右寸法は略同一であり、互いの周縁部分が対向する。表示パネル１０の上下及び左右寸法は、前キャビネット２０の開口２０ａよりも若干大きく、表示パネル１０の周縁部分は前キャビネット２０の内縁部分と対向している。
【００３１】
前キャビネット２０は、略Ｌ字形の断面を有する枠部材で構成され、中央部に開口２０ａを有し、前面に露出した矩形枠状の前板部２１と、前板部２１の外縁部分（開口２０ａと反対側の縁部分）から後側に延設された側板部２２とを備えている。前板部２１の開口２０ａの縁部分２１ａが後側に屈曲しており、この屈曲した部分の周囲に弾性部材１４が設けてある。表示パネル１０の周縁部分が弾性部材１４を介して前板部２１の内側縁部に対向することで表示パネル１０の損傷を防止している。弾性部材１４は樹脂部材（例えば高密度マイクロウレタンフォーム、ゴム又はラテックスなど）からなり、縁部分２１ａに沿って連続的又は断続的に配置してある。
【００３２】
前キャビネット２０の側板部２２の外周側には、後キャビネット３０を係止するために前側に窪んだ係止溝２２ａが設けてある。後キャビネット３０は、中央部に前側に突出した板状の凹部３１と、凹部３１の周部後端に連なる板状の周縁部３２とを有する。周縁部３２には貫通孔３２ａが形成されている。
【００３３】
断面がＬ字形の板状の金属部材で構成された光源載置部２３が設けてある。光源載置部２３のＬ字の一方側部分は前後方向に伸び、この一方側部分の内面側に光源ユニット１５が固定されている。光源載置部２３のＬ字の他方側部分はＬ字の一方側部分の後端部から外向きに伸びている。光源ユニット１５は、細長い矩形の基板１５ａと、基板１５ａ上に長手方向に沿って複数の並置されたＬＥＤ（Light Emitting Diode：発光ダイオード）１５ｂとを備えている。基板１５ａは熱伝導性の良い両面テープによって光源載置部２３に接着され、更にネジ止めされている。
【００３４】
光源載置部２３の前端部２３ａを係止する溝部２１ｂが前板部２１の内側に設けられ、Ｌ字の他方側部分には貫通孔２３ｂが形成されている。該貫通孔２３ｂを後キャビネット３０の周縁部３２の貫通孔３２ａに重ねた状態で係止ネジ２４を貫通孔３２ａ及び貫通孔２３ｂに挿通して係止溝２２ａにタッピングによって螺合させることにより、光源載置部２３を前後に挟んだ状態で前キャビネット２０と後キャビネット３０とが結合される。
【００３５】
表示パネル１０の後側に、表示パネル１０に対向する矩形の導光板１１が設けてある。導光板１１の上下及び左右寸法は表示パネル１０より若干大きい。導光板１１の前後位置はＬＥＤ１５ｂの前後位置と略同じであり、導光板１１の周面はＬＥＤ１５ｂに対向し、近接している。導光板１１の前面に、導光板１１の前面から出射された光を均一に拡散する矩形の拡散シート１２と、拡散シート１２によって拡散された光を表示パネル１０へ向けて集光する矩形の光学シート１３とが順に設けてある。光学シート１３は表示パネル１０の後面に近接している。拡散シート１２及び光学シート１３の上下及び左右寸法は導光板１１より小さい。
【００３６】
導光板１１の後面には、入射光を前方に向けて反射する反射シート１６が設けてある。反射シート１６の上下及び左右寸法は導光板１１よりも大きい。ＬＥＤ１５ｂから発せられた光は導光板１１の周面に入射し、導光板１１の内部及び反射シート１６で透過及び反射して、導光板１１の前面から出射される。出射された光は拡散シート１２及び光学シート１３を透過して表示パネル１０に至る。反射シート１６の後側に後キャビネット３０の凹部３１の底部分３１ａが位置し、底部分３１ａは反射シート１６と平行に対向し、近接している。
【００３７】
次に前キャビネット２０の構成について説明する。図３は前キャビネットの概略構成を模式的に示す正面図である。
前キャビネット２０は、矩形の長辺を構成する２つの横枠２０１と、矩形の短辺を構成する２つの縦枠２０２に分割されている。縦枠２０２の長さは横枠２０１よりも短い。横枠２０１は図２に示す略Ｌ字形の断面を有する。縦枠２０２も略Ｌ字形の断面を有するが横枠２０１と一部異なる。横枠２０１及び縦枠２０２は押出成形によって製造されるが、引き抜き成形、射出成形またプレス成形など他の方法で製造してもよい。
【００３８】
横枠２０１及び縦枠２０２の両端部は長さ方向に対して逆向きに略同じ角度で傾斜している。横枠２０１の端部の傾斜角度と縦枠２０２の端部の傾斜角度との和は略９０度である（例えば、両方の傾斜角度が４５度である等）。２つの横枠２０１を傾斜した端部が内側に向く状態で平行になるように対向配置し、２つの縦枠２０２を傾斜した端部が内側に向く状態で且つ横枠２０１と直交させて平行になるように対向配置し、矩形の４隅で隣り合う横枠２０１と縦枠２０２との端部同士を突き当てた状態で連結する連結体４０を備えている。
【００３９】
次に連結体４０及び横枠２０１と縦枠２０２との連結構成について説明する。図４は図２に示す表示装置の一部部材の分解斜視図、図５は図４に示す部材を組み付けた状態を示す斜視図、図６は図５に示す表示装置の一部の前側外観斜視図、図７は図２に示す表示装置の他の一部部材の分解斜視図、図８は図７に示す部材を組み付けた状態を示す斜視図、図９は枠体に表示パネルを組み付けた状態を示す斜視図、図１０は枠体に表示パネルを組み付けた状態を示す断面図である。尚、図４〜図６は正面左下隅部での連結構成を示し、図７〜図９は正面左上隅部での連結構成を示す。また、正面右下隅部に配置された部材は正面左下隅部に配置された部材と左右対称であり、正面右上隅部に配置された部材は正面右下隅部に配置された部材と左右対称である。
【００４０】
連結体４０は、横枠２０１に結合される横板部４０１と、縦枠２０２に結合される縦板部４０２とを有し、横板部４０１と縦板部４０２により前後方向視で略Ｌ字形をなす。横板部４０１に、横枠２０１の長手方向に板部の端縁から内側へ凹状に切り欠いた切欠部４１が形成されている。縦板部４０２に、縦枠２０２の長手方向に板部の端縁から内側へ凹状に切り欠いた切欠部４２を形成されている。
【００４１】
横枠２０１には、横枠２０１の長手方向に沿って切欠部４１に嵌入する突条部２５が形成されている。同様に、縦枠２０２には、縦枠２０２の長手方向に沿って切欠部４２に嵌入する突条部２６が形成されている。
【００４２】
Ｌ字状の連結体４０は、内縁側に表示パネル１０の周縁部の前側に位置する縁板部４９を有している。横板部４０１の切欠部４１より内側の縁板部４９には、後方へ突出した横長状の突起部４３が設けてあり、突起部４３の後側端部は面取部４３ａとなっている。縦板部４０２の切欠部４２より内側の縁板部４９には、後方へ突出した縦長状の突起部４３が設けてあり、突起部４３の後側端部は面取部４３ａとなっている。
【００４３】
横板部４０１の切欠部４１より外側の部分には、後方へ突出した横板状の突出片４４が設けてある。突出片４４には上下方向向きの貫通孔４４ａが形成されている。尚、光源載置部２３は、突出片４４の外側の面に接しており、貫通孔４４ａの位置に対応したネジ孔２３ｃが形成されている。
【００４４】
縦板部４０２の切欠部４２より外側の部分には、板部５０が後方へ突出し、該板部５０の外側側面に上下方向向きの板面を有する板状の突出片４５が設けてあり、突出片４５には貫通孔４５ａが形成されている。
【００４５】
縦枠２０２には、板状の突出片４５の板厚より若干広い間隔で前後方向に対向した２つの板部２７，２８が設けてある。後側の板部２８は一部に欠落部２８ａを有し、前側の板部２７には欠落部２８ａの位置に対応させてネジ孔２７ａが形成されている。
【００４６】
突条部２５が切欠部４１に嵌合されて突条部２５の先端部２５ａが切欠部４１の奥側端部４１ａに当接することにより、横枠２０１と連結体４０との横枠２０１の長手方向での位置決めがなされる。そして、このように位置決めした状態でネジ４７を突出片４４の貫通孔４４ａを通して光源載置部２３のネジ孔２３ｃにネジ止めすることにより、連結体４０と横枠２０１とが結合される。
【００４７】
同様に、突条部２６の先端部２６ａが切欠部４２の奥側端部４２ａに当接することにより、縦枠２０２と連結体４０との縦枠２０２の長手方向での位置決めがなされる。そして、このように位置決めした状態でネジ４７を板部２８の欠落部２８ａ及び突出片４５の貫通孔４５ａを通して板部２７のネジ孔２７ａにネジ止めすることにより、連結体４０と縦枠２０２とが結合される。
【００４８】
Ｌ字状の連結体４０の内側角部に、縁板部４９と同じ面方向を有し、縁板部４９に連なる矩形板状の隠蔽部４６が内側に延設されている。
【００４９】
以上の如く、２つの横枠２０１と２つの縦枠２０２と４つの連結体４０との位置合わせ及び結合がなされた前キャビネット２０を前側が下になる状態にする。そして、表示パネル１０の表示面１０ａを下向きにして、表示パネル１０の端部を突起部４３の面取部４３ａによって案内しながら、表示パネル１０の端面が前キャビネット２０の突起部４３の側面（平面）と対向し、表示パネル１０の周縁部の前側に縁板部４９が位置する状態にセットすることができる。この後、表示パネル１０の後面に、光学シート１３、拡散シート１２、導光板１１及び反射シート１６を順次重ね、更に後キャビネット３０を重ねた状態で後キャビネット３０を前キャビネット２０にネジ止めすることにより、表示装置１００が作製される。
本実施の形態によれば、隣り合う横枠２０１と縦枠２０２とを連結体４０によって連結するときに、連結体４０の位置決め部４１ａ，４２ａ夫々に、横枠２０１の先端部２５ａ，縦枠２０２の先端部２６ａを当接して横枠２０１，縦枠２０２夫々の長手方向での位置を決めた状態で、横枠２０１，縦枠２０１と連結体４０とを結合するので、位置決め精度を高くしながら、強度良好に結合することができる。
【００５０】
実施の形態２．
本発明の実施の形態２に係るＴＶ受信機は、表示装置の横枠２０１と縦枠２０２とを連結する連結体４１０の構成が、実施の形態１に係る連結体４０の構成と異なる。
図１１は、連結体４１０を示す斜視図である。図中、図４の連結体４０と同一部分は同一符号を付して詳細な説明を省略する。
連結体４１０においては、横板部４０１の突起部４３の下側に、横枠２０１の突条部２５の先端部２５ａの上部の後側を覆う先端被覆部５２を備える。また、縦板部４０２は、縦枠２０２の突条部２６の先端部２６ａを当接する奥側端部４２ａを有し、突条部２６の左右方向両側及び後側を覆う突条部挿通部５１を備える。突条部挿通部５１は、平面断面視が略コの字状をなす。突条部挿通部５１の縦板部には、２つのネジ挿通孔５１ａが設けられている。
【００５１】
本実施の形態に係る表示装置も、実施の形態１に係る表示装置１００と同様に、２つの横枠２０１と２つの縦枠２０２と４つの連結体４１０とを位置合わせして結合し、結合した前キャビネット２０を前側が下になる状態にする。そして、表示パネル１０の表示面１０ａを下向きにして、表示パネル１０の端部を突起部４３の面取部４３ａによって案内しながら、表示パネル１０の端面が前キャビネット２０の突起部４３の側面と対向し、表示パネル１０の周縁部の前側に縁板部４９が位置する状態にセットする。
表示パネル１０をセットした後、該表示パネル１０の後側に光学シート１３を配置する。
【００５２】
図１２は、表示パネル１０及び光学シート１３を配置した前キャビネット２０を示す斜視図、図１３は図１２の一部斜視図である。図１３中、図４と同一部分は同一符号を付して詳細な説明を省略する。図１２及び図１３中、表示パネル１０は光学シート１３の前側に位置する。
各縦枠２０２の略中央部には光学シート１３を嵌め合わせるアングル２０５が設けられている。光学シート１３の両短辺の中央部には凹部１３ａが設けられており、該凹部１３ａをアングル２０５に嵌合する。
【００５３】
図１３に示すように、本実施の形態の縦枠２０２の突条部２６は実施の形態１に係る突条部２６と形状が異なり、平面断面視で前後方向にＬ字状をなし、前側先端部に、後ろに凸に湾曲した湾曲部を有する。突条部２６は、先端側に前後方向に貫通する貫通孔２６ｂを有する。横枠２０１の光源載置部２３の後側の縦板部分には複数のネジ孔（図示せず）が設けられている。側面視が略Ｌ字状をなし、連結体４１０の後側部分を覆う連結体カバー５８は、先端部に、前記貫通孔２６ｂに係止される係止部５８ａを有し、本体部分に、Ｌ字状に並設された複数のネジ挿通孔５８ｂを有する。係止部５８ａを貫通孔２６ｂに係止し、ネジ挿通孔５８ｂにネジ５８ｃを挿通して突条部挿通部２６のネジ挿通孔５１ａにネジ止めし、突条部２３に対向するネジ挿通孔５８ｂにネジ５８ｃを挿通して光源載置部２３の前記ネジ孔にネジ止めすることにより、連結体カバー５８が連結体４１０に取り付けられる。表示パネル１０は突起部４３に支持され、表示パネル１０の外側に、両短辺の中央部が各アングル２０５に係止された状態で、シート１３が配置されている。
【００５４】
実施の形態３．
本発明の実施の形態３に係るＴＶ受信機は、表示装置の縦枠２０３にアングル２０５を備えず、また、連結体４１１の構成が、実施の形態１に係る連結体４０、及び実施の形態２に係る連結体４１０の構成と異なる。図１４は、連結体４１１を示す斜視図である。図中、図１１の連結体４１０と同一部分は同一符号を付して詳細な説明を省略する。
連結体４１１の横板部４０１の突起部４３には平板状をなす第１支持部５５が、縦板部４０２の突起部４３には平板状をなす第２支持部５６が連設されている。第１支持部５５，第２支持部５６は、長手方向の表示部中央側の先端部に、斜めに切り欠かれた切欠き部５５ａ，５６ａを有する。第１支持部５５は、平面が突起部４３の側面（平面）より突出し、前側端面が、縁板部４９との間で表示パネル１０を案内する案内部５５ｂを形成するように、突起部４３に設けられている。第１支持部５５，第２支持部５６により、２枚または３枚の光学シート１３の角部が位置決めされて支持される。
【００５５】
本実施の形態に係る表示装置も、実施の形態１及び２に係る表示装置と同様に、２つの横枠２０１と２つの縦枠２０３と４つの連結体４１１とを位置合わせして結合し、結合した前キャビネット２０を前側が下になる状態にする。そして、表示パネル１０の表示面１０ａを下向きにして、表示パネル１０の端部を突起部４３の面取部４３ａ及び第１支持部５５の案内部５５ｂによって案内しながら、表示パネル１０の端面が前キャビネット２０の突起部４３の側面と対向し、表示パネル１０の周縁部の前側に縁板部４９が位置する状態にセットする。
表示パネル１０をセットした後、該表示パネル１０の後側に、光学シート１３を、角部を第１支持部５５，第２支持部５６により位置合わせして支持する。
【００５６】
図１５は横枠２０１と縦枠２０３と連結体４１１とを連結した状態を示す斜視図、図１６は図１５の一部斜視図、図１７は連結体４１１により表示パネル１０を支持した状態を示す斜視図、図１８は連結体４１１により光学シート１３を支持した状態を示す斜視図である。図中、図１２及び図１３と同一部分は同一符号を付して詳細な説明を省略する。
【００５７】
本実施の形態においては、表示パネル１０が案内部５５ｂにより案内されて突起部４３，４３に確実に支持され、光学シート１３が第１支持部５５，第２支持部５６の切欠き部５５ａ，５６ａにより案内されて、第１支持部５５，第２支持部５６に確実に支持される。
【００５８】
そして、本実施の形態においては、光学シート１３が第１支持部５５，第２支持部５６により支持されるので、光学シート１３に凹部１３ａを設ける必要がなく、縦枠２０３にアングル２０５を設ける必要がない。従って、部品コストを低減することができ、凹部１３ａの形成工程が不要になり、光学シート１３の取り付け作業も容易になって製造コストが低減する。
【００５９】
実施の形態４．
本発明の実施の形態４に係るＴＶ受信機は、光学シート１３の形状が実施の形態３に係る光学シート１３１の形状が異なる。
図１９は、実施の形態４に係る前キャビネット２０、表示パネル１０、及び光学シート１３を示す斜視図である。図中、図１８と同一部分は同一符号を付して詳細な説明を省略する。図１９中、表示パネル１０は光学シート１３１の前側に位置する。
【００６０】
本実施の形態に係る光学シート１３１は、４つの角部に略Ｌ字状の切欠き部１３１ａが設けられている。本実施の形態においては、切欠き部１３１ａを第１支持部５５，第２支持部５６に嵌め合わせるので、光学シート１３１の固定がより確実になる。
【００６１】
今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００６２】
１  ＴＶ受信機
１０  表示パネル（表示部）
１０ａ  表示面
１３、１３１  光学シート
２０  前キャビネット（枠体）
２０１  横枠（枠部材）
２０２、２０３  縦枠（枠部材）
２１  前板部
２１ａ  縁部分
２２  側板部
２２ａ  係止溝
２３ｃ  ネジ孔（結合手段）
２５  突条部
２５ａ  先端部（被位置決め部）
２６  突条部
２６ａ  先端部（被位置決め部）
２７ａ  ネジ孔（結合手段）
４０、４１０、４１１  連結体
４１  切欠部
４１ａ  奥側端部（位置決め部）
４２  切欠部
４２ａ  奥側端部（位置決め部）
４３  突起部（第２位置決め部、突起）
４３ａ  面取部（案内部）
４４  突出片（結合部、結合手段）
４４ａ  貫通孔（結合部、結合手段）
４５  突出片（結合部、結合手段）
４５ａ  貫通孔（結合部、結合手段）
４６  隠蔽部
４７  ネジ（結合手段）
４９  縁板部
５１  突条部挿通部
５２  先端被覆部
５５  第１支持部
５５ａ、５６ａ  切欠き部
５５ｂ  案内部
５６  第２支持部
１００  表示装置
２００  チューナ
【図１】
0005227470.tif 000002
【図２】
0005227470.tif 000003
【図３】
0005227470.tif 000004
【図４】
0005227470.tif 000005
【図５】
0005227470.tif 000006
【図６】
0005227470.tif 000007
【図７】
0005227470.tif 000008
【図８】
0005227470.tif 000009
【図９】
0005227470.tif 000010
【図１０】
0005227470.tif 000011
【図１１】
0005227470.tif 000012
【図１２】
0005227470.tif 000013
【図１３】
0005227470.tif 000014
【図１４】
0005227470.tif 000015
【図１５】
0005227470.tif 000016
【図１６】
0005227470.tif 000017
【図１７】
0005227470.tif 000018
【図１８】
0005227470.tif 000019
【図１９】
0005227470.tif 000020